(57)【要約】【課題】拡張性を有するＰＯＰケース及びＰＯＰシステムを提供する。【解決手段】ＰＯＰケース１は、第１部材６と、第１部材６の上に積層され固着されるもので、左右上下の各端の少なくともいずれかから他の部材を挿入可能な開口部を備えた第２部材５と、第２部材５の上に積層され固着される第３部材４と、第３部材４の上に積層され固着されるもので、広告に関わるカードを挿入可能な開口部を備えた第４部材３と、第４部材３の上に積層され固着されるもので、カードを外部から確認可能とする開口部と該カードを支持する支持部とを備えた第５部材２とを備え、第１乃至第３部材の積層関係により他の部材を挿入し嵌合可能とする嵌合部を形成し、第３乃至第５部材の積層関係によりカードを挿入し閲覧可能に支持する挿入支持部を形成する。【選択図】図１
0003206372.tif 000002
【実用新案登録請求の範囲】
【請求項１】
第１部材と、
前記第１部材の上に積層され固着されるもので、左右上下の各端の少なくともいずれかから他の部材を挿入可能な開口部を備えた第２部材と、
前記第２部材の上に積層され固着される第３部材と、
前記第３部材の上に積層され固着されるもので、カードを挿入可能な開口部を備えた第４部材と、
前記第４部材の上に積層され固着されるもので、前記カードを外部から目視可能とする開口部と該カードを支持する支持部とを備えた第５部材と、を備え、
前記第１乃至第３部材の積層関係により前記他の部材を挿入し嵌合可能とする嵌合部を形成し、前記第３乃至第５部材の積層関係により前記カードを挿入し目視可能に支持する挿入支持部を形成することを特徴とする
ＰＯＰケース。
【請求項２】
請求項１のＰＯＰケースと、
前記ＰＯＰケースの前記嵌合部に嵌合させる突出部を備えた接続部材と、を備え、
前記ＰＯＰケースの前記嵌合部に前記接続部材の前記突出部を嵌合させることで、前記接続部材を前記ＰＯＰケースに装着し、更に前記接続部材に広告媒体を装着可能としたことを特徴とする
ＰＯＰシステム。
【請求項３】
請求項１のＰＯＰケースを複数備え、更に前記ＰＯＰケースの前記嵌合部に嵌合させる複数の突出部を備えた接続部材を備え、
前記接続部材の前記複数の中の一の突出部を前記複数の中の一のＰＯＰケースの前記嵌合部に嵌合させ、前記接続部材の前記複数の中の他の突出部を前記複数の中の他のＰＯＰケースの前記嵌合部に嵌合させることで、複数のＰＯＰケースを、前記接続部材を介して接続することを特徴とする
ＰＯＰシステム。
【請求項４】
請求項１のＰＯＰケースと、
文字が表記された文字表記部材が挿入可能な本体と前記本体に設けられた突出部とで構成された価格表示部材と、を備え、
前記突出部を前記ＰＯＰケースの前記嵌合部に嵌合させることで、前記価格表示部材を前記ＰＯＰケースに装着することを特徴とする
ＰＯＰシステム。
【請求項５】
請求項１のＰＯＰケースと、
本体と前記本体と一体であり所定のメッセージが形成された文字部と前記本体と一体の突出部とで構成されたメッセージ提示部材と、を備え、
前記突出部を前記ＰＯＰケースの前記嵌合部に嵌合させることで、前記メッセージ提示部材を前記ＰＯＰケースに装着することを特徴とする
ＰＯＰシステム。
【請求項６】
第１部材と、前記第１部材の上に積層され固着されるもので左右上下の各端の少なくともいずれかから他の部材を挿入可能な開口部を備えた第２部材と、前記第２部材の上に積層され固着される第３部材と、前記第３部材の上に積層され固着されるものでカードを挿入可能な開口部を備えた第４部材と、前記第４部材の上に積層され固着されるもので前記カードを外部から目視可能とする開口部と該カードを支持する支持部とを備えた第５部材とからなるＰＯＰケースと、
前記ＰＯＰケースの前記嵌合部に嵌合させる第１突出部を有する接続部材と、
文字が表記された文字表記部材が挿入可能で前記ＰＯＰケースの前記嵌合部に嵌合させる第２突出部を有する価格表示部材と、
所定のメッセージが形成された文字部と前記ＰＯＰケースの前記嵌合部に嵌合させる第３突出部とを有するメッセージ提示部材と、を備え、
前記第１乃至第３突出部を前記ＰＯＰケースの前記嵌合部に嵌合させることで、それぞれの部材を前記ＰＯＰケースに装着可能としたことを特徴とする
ＰＯＰシステム。
【考案の詳細な説明】
【技術分野】
【０００１】
本考案は、商品名、価格、キャッチコピー、説明文、及びイラスト等で商品説明等を行う広告媒体としてのＰＯＰ（Point of purchase advertising）をアレンジ可能とするＰＯＰケース及びＰＯＰシステムに関する。
【背景技術】
【０００２】
従来、各種店舗においては、展示、あるいは販売している商品の個性を需要者にアピールするために、商品名、価格に加えて、キャッチコピー、説明文、及びイラスト等を手書きしたＰＯＰが広告媒体として一般に用いられている。昨今では、単独の商品のみならず店舗全体の雰囲気作りにも寄与するものとして、その重要性は益々高まっている。そしてＰＯＰを実現するＰＯＰディスプレイについても種々の提案がなされている。
【０００３】
このようなＰＯＰディスプレイとして、例えば、特許文献１では、ＰＯＰ表示体の下端縁を支持体の底面領域に当接した状態として、円弧柱状のＰＯＰ表示体を支持体に支持固定するＰＯＰディスプレイが開示されている。
【先行技術文献】
【特許文献】
【０００４】
【特許文献１】実用新案登録第３１１５６３３号公報
【考案の概要】
【考案が解決しようとする課題】
【０００５】
しかしながら、特許文献１に開示されたものでは、ＰＯＰ表示対を円弧柱状に組み付けることに主眼を置いたものであり、用途に応じたＰＯＰの拡張性を実現することについては何ら開示も示唆もされていなかった。
【０００６】
昨今では、商品も多様化の傾向にあり、店舗で活用するＰＯＰケースに対しても、そのような多様化に対応する拡張性が嘱望されている。
【０００７】
本考案は、このような課題に鑑みてなされたものであり、広告対象の種別等に応じた拡張性を有するＰＯＰケース及びＰＯＰシステムを提供することを目的とする。
【課題を解決するための手段】
【０００８】
上記の課題を解決するために、本考案の第１の態様に係るＰＯＰケースは、第１部材と、前記第１部材の上に積層され固着されるもので、左右上下の各端の少なくともいずれかから他の部材を挿入可能な開口部を備えた第２部材と、前記第２部材の上に積層され固着される第３部材と、前記第３部材の上に積層され固着されるもので、カードを挿入可能な開口部を備えた第４部材と、前記第４部材の上に積層され固着されるもので、前記カードを外部から目視可能とする開口部と該カードを支持する支持部とを備えた第５部材と、を備え、前記第１乃至第３部材の積層関係により前記他の部材を挿入し嵌合可能とする嵌合部を形成し、前記第３乃至第５部材の積層関係により前記カードを挿入し目視可能に支持する挿入支持部を形成することを特徴とする。
【０００９】
本考案の第２の態様に係るＰＯＰシステムは、第１の態様のＰＯＰケースと、前記ＰＯＰケースの前記嵌合部に嵌合させる突出部を備えた接続部材と、を備え、前記ＰＯＰケースの前記嵌合部に前記接続部材の前記突出部を嵌合させることで、前記接続部材を前記ＰＯＰケースに装着し、更に前記接続部材に広告媒体を装着可能としたことを特徴とする。
【００１０】
そして、本考案の第３の態様に係るＰＯＰシステムは、第１の態様のＰＯＰケースを複数備え、更に前記ＰＯＰケースの前記嵌合部に嵌合させる複数の突出部を備えた接続部材を備え、前記接続部材の前記複数の中の一の突出部を前記複数の中の一のＰＯＰケースの前記嵌合部に嵌合させ、前記接続部材の前記複数の中の他の突出部を前記複数の中の他のＰＯＰケースの前記嵌合部に嵌合させることで、複数のＰＯＰケースを、前記接続部材を介して接続することを特徴とする。
【００１１】
本考案の第４の態様に係るＰＯＰシステムは、第１の態様のＰＯＰケースと、文字が表記された文字表記部材が挿入可能な本体と前記本体に設けられた突出部とで構成された価格表示部材と、を備え、前記突出部を前記ＰＯＰケースの前記嵌合部に嵌合させることで、前記価格表示部材を前記ＰＯＰケースに装着することを特徴とする。
【００１２】
本考案の第５の態様に係るＰＯＰシステムは、第１の態様のＰＯＰケースと、本体と前記本体と一体であり所定のメッセージが形成された文字部と前記本体と一体の突出部とで構成されたメッセージ提示部材と、を備え、前記突出部を前記ＰＯＰケースの前記嵌合部に嵌合させることで、前記メッセージ提示部材を前記ＰＯＰケースに装着することを特徴とする。
【００１３】
そして、本考案の第６の態様に係るＰＯＰシステムは、第１部材と、前記第１部材の上に積層され固着されるもので左右上下の各端の少なくともいずれかから他の部材を挿入可能な開口部を備えた第２部材と、前記第２部材の上に積層され固着される第３部材と、前記第３部材の上に積層され固着されるものでカードを挿入可能な開口部を備えた第４部材と、前記第４部材の上に積層され固着されるもので前記カードを外部から目視可能とする開口部と該カードを支持する支持部とを備えた第５部材とからなるＰＯＰケースと、前記ＰＯＰケースの前記嵌合部に嵌合させる第１突出部を有する接続部材と、文字が表記された文字表記部材が挿入可能で前記ＰＯＰケースの前記嵌合部に嵌合させる第２突出部を有する価格表示部材と、所定のメッセージが形成された文字部と前記ＰＯＰケースの前記嵌合部に嵌合させる第３突出部とを有するメッセージ提示部材と、を備え、前記第１乃至第３突出部を前記ＰＯＰケースの前記嵌合部に嵌合させることで、それぞれの部材を前記ＰＯＰケースに装着可能としたことを特徴とする。
【考案の効果】
【００１４】
本考案によれば、広告対象の種別等に応じた拡張性を有するＰＯＰケース及びＰＯＰシステムを提供することができる。
【図面の簡単な説明】
【００１５】
【図１】図１（ａ）乃至図１（ｃ）は、本考案の一実施形態に係るＰＯＰケースの構成を示す図である。
【図２】図２（ａ）及び図２（ｂ）は、本考案の一実施形態に係るＰＯＰシステムにおいて用いられる接続部材の構成図である。
【図３】図３（ａ）及び図３（ｂ）は、本考案の一実施形態に係るＰＯＰシステムにおいて用いられる拡張部材の構成図である。
【図４】本考案の一実施形態に係るＰＯＰシステムを構成する過程を示す図である。
【図５】本考案の一実施形態に係るＰＯＰシステムを構成する過程を示す図である。
【図６】本考案の一実施形態に係るＰＯＰシステムの使用例を示す図である。
【考案を実施するための形態】
【００１６】
以下、図面を参照しつつ本考案の一実施形態について説明する。
【００１７】
図１（ａ）乃至図１（ｃ）は、本考案の一実施形態に係るＰＯＰケースの構成を示す図である。より詳細には、図１（ａ）はＰＯＰケースの平面図、図１（ｂ）はＰＯＰケースの正面図、図１（ｃ）はＰＯＰケースの側面図である。
【００１８】
これらの図に示されるように、後面側に位置する第１部材６の上には第２部材５が固着され、第２部材５の上には第３部材４が固着される。第２部材５には、その左右上下の端から中心部に向けて略Ｔ字型に開口部５ａ乃至５ｈが設けられている。従って、第２部材５が第１部材６及び第３部材４で挟まれる位置関係から、略Ｔ字型の開口部５ａ乃至５ｈは、後述する接続部材が嵌合する領域として機能することになる。この意味から、第１乃至第３部材の積層関係により嵌合部が形成されるといえる。
【００１９】
第３部材４の上には第４部材３が固着され、第４部材３の上には第５部材２が固着される。この第４部材３は、中央部が開口された構成となっている。換言すれば、正面から見たときに、上辺、左辺、及び下辺においてのみ所定幅の壁部を形成するような構成となっている。更に換言すれば、正面から見たときに、逆コの字型を形成するような構成となっている。第５部材２には、右上及び左下に所定幅の支持領域が形成されているので、第３部材４、第４部材３、第５部材１の積層関係により、第４部材３の開口部は後述するＰＯＰカードを挿入し支持可能な領域として機能する。この意味から、第３乃至第５部材の積層関係により挿入支持部が形成されているといえる。
【００２０】
以上の構成によれば、略Ｔ字型の開口部５ａ乃至５ｈに後述する接続部材を嵌合させて該接続部材に写真やイラスト等各種の媒体を接続することで拡張性を持たせることが可能となる。更に接続部材を介して複数のＰＯＰケースを左右方向、上下方向に接続することが可能となるので、その点でも拡張性を持たせることが可能となる。また、第２部材３の開口部に各種のＰＯＰカードを挿入することで、各種商品やサービスに対応した広告媒体として機能させることも可能となる。
【００２１】
図２（ａ）及び図２（ｂ）は、本考案の一実施形態に係るＰＯＰシステムにおいて用いられる接続部材の構成図である。より詳細には、図２（ａ）は第１接続部材の構成図であり、図２（ｂ）は第２接続部材の構成図である。
【００２２】
図２（ａ）に示される第１接続部材１０は、本体１０ａの左右にそれぞれ２つの略Ｌ字型の突出部１０ｂ乃至１０ｅを備えた構成となっている。より詳細には、本体１０ａの左側には先端が下方に向いた略Ｌ字型の突出部１０ｂ，１０ｃが設けられている。本体１０ａの右側には先端が上方に向いた略Ｌ字型の突出部１０ｄ，１０ｅが設けられている。使用時には、この突出部１０ｂ乃至１０ｅを開口部５ａ乃至５ｈに挿入し、先端部を開口部５ａ乃至５ｈの端に嵌合させることで位置固定させる。
【００２３】
図２（ｂ）に示される第２接続部材１１は、本体１１ａの左右にそれぞれ２つの略Ｌ字型の突出部１１ｂ乃至１１ｅを備えた構成となっている。より詳細には、本体１１ａの左側には先端が上方に向いた略Ｌ字型の突出部１１ｂ，１１ｃが設けられている。本体１１ａの右側には先端が上方に向いた略Ｌ字型の突出部１１ｄ，１１ｅが設けられている。使用時には、この突出部１１ｂ乃至１１ｅを開口部５ａ乃至５ｈに挿入し、先端部を開口部５ａ乃至５ｈの端に嵌合させることで位置固定させる。
【００２４】
この第１接続部１０、第２接続部１１は、拡張態様に応じて使い分ける。また、左右一方の突出部のみをＰＯＰケースに嵌合させ、他方には写真やイラスト等に係る広告媒体を貼り付ける等して拡張性を持たせてもよい。
【００２５】
図３（ａ）及び図３（ｂ）は、本考案の一実施形態に係るＰＯＰシステムにおいて用いられる拡張部材の構成図である。より詳細には、図３（ａ）は拡張部材としての価格表示部材の構成図、図３（ｂ）は拡張部材としてのメッセージ提示部材の構成図である。
【００２６】
図３（ａ）に示される価格表示部材１２は、文字表記部材１２ｂが挿入可能な本体１２ａと、本体１２ａの上方に設けられた２つの略Ｌ字型の突出部１２ｃ、１２ｄとで構成されている。本体１２ａに文字表示部材１２ｂを挿入することで、広告対象である商品の価格等を表記することが可能となる。また、突出部１２ｃ，１２ｄをＰＯＰケース１の開口部５ａ乃至５ｈに挿入し、先端部を嵌合させることで、該ＰＯＰケース１に装着することが可能となる。図示されている状態から１８０度回転させれば、ＰＯＰケース１の上方にも装着可能であることは勿論である。
【００２７】
図３（ｂ）に示されるメッセージ提示部材１３は、本体１３ａの上方に予め所定の文字部１３ｄが形成されている。この例では、「本日のおすすめ」という文字が形成されているがこれに限らず各種の文字等を形成可能である。そして、本体１３ａの下方には、２つの略Ｌ字型の突出部１３，１３ｃが形成されている。突出部１３ｂ，１３ｃをＰＯＰケース１の開口部５ａ乃至５ｈに挿入し、先端部を嵌合させることで、該ＰＯＰケース１に装着することが可能となる。図示されている状態から１８０度回転させれば、ＰＯＰケース１の上方にも装着可能であることは勿論である。尚、メッセージ提示部材１３は、アクリルやプラスチックにより各部が一体成型されてよい。
【００２８】
メッセージ提示部材１３の文字部１３ｄに形成する文字は、本ケースを使用するユーザの取扱商品、提供サービス、業種、業界等に合わせて、バリエーション豊富に予め選択可能に多数のものを用意することもできる。
【００２９】
以下、図４を参照して、本考案の一実施形態に係るＰＯＰシステムを構成する過程を説明する。ここでは、２つのＰＯＰケース１Ａ、１Ｂを１つの第２接続部材１１で接続する例を示している。
【００３０】
同図に示されるように、第２接続部材１１の左端より突出した２つの略Ｌ字型の突出部１１ｂ，１１ｃは、第１ＰＯＰケース１Ａの左側の２つの開口部５ｇ，５ｈにそれぞれ挿入された後、突出部１１ｂ，１１ｃの先端が開口部５ｇ、５ｈの上方の矩形領域に嵌合され、これにより位置固定される。
【００３１】
同様に、第２接続部材１１の右端より突出した２つの略Ｌ字型の突出部１１ｄ，１１ｅは、第２ＰＯＰケース１Ｂの右側の２つの開口部５ｃ，５ｄにそれぞれ挿入された後、突出部１１ｄ，１１ｅの先端が開口部５ｃ，５ｄの上方の矩形領域に嵌合され、これにより位置固定される。
【００３２】
この例では、第２接続部材１１を商品棚等への取り付けることを想定しているので、商品棚等への装着状態においては第１ＰＯＰケース１Ａ、第２ＰＯＰケース１Ｂともに、下方に重力が加わるので、突出部１１ｂ乃至１１ｅと、開口部５ｇ，５ｈ，５ｃ，５ｄとの嵌合状態、つまり装着状態は位置されることになる。
【００３３】
次に、図５を参照して、本考案の一実施形態に係るＰＯＰシステムを構成する別の過程を更に説明する。ここでは、ＰＯＰケース１Ｂを棚等へ固定することを想定した拡張性について具体的に説明する。
【００３４】
同図に示されるように、第１ＰＯＰケース１Ａの上端の開口部５ａ，５ｂには第１接続部材１０Ｂの突出部１０ｂ，１０ｃがそれぞれ挿入され、第１接続部材１０Ｂを右方向に移動させることで、突出部１０ｂ，１０ｃの先端が開口部５ａ，５ｂに嵌合され、位置固定される。この第１接続部材１０Ｂの突出部１０ｄ，１０ｅは、第３ＰＯＰケース１Ｃの開口部５ｅ，５ｆにそれぞれ挿入され、第３ＰＯＰケース１Ｃを右方向に移動させることで突出部１０ｂ，１０ｃの先端が開口部５ｅ，５ｆに嵌合され、位置固定される。
【００３５】
第１ＰＯＰケースの下方の開口部５ｅ，５ｆには、価格表示部材１２の突出部１２ｃ，１２ｄが挿入され、価格表示部を右方向に移動させることで、突出部１２ｃ，１２ｄが開口部５ｅ，５ｆに嵌合され、位置固定される。尚、この価格表示部材１２の本体１２ａには予め文字表示部材１２ｂが挿入され価格を表示する状態とされている。
【００３６】
第１接続部材１０Ａの左端より突出した２つの略Ｌ字型の突出部１０ｂ，１０ｃは、第２ＰＯＰケース１Ｂの右側の２つの開口部５ｇ，５ｈにそれぞれ挿入された後に、突出部１０ｂ，１０ｃの先端が開口部５ｇ、５ｈの下方の矩形領域に嵌合され、位置固定されることになる。第１接続部材１０Ａの右端より突出した２つの略Ｌ字型の突出部１０ｄ，１０ｅは、第１ＰＯＰケース１Ａの左側の２つの開口部５ｃ，５ｄにそれぞれ挿入された後に、突出部１０ｄ，１０ｅの先端が開口部５ｃ，５ｄの上方の矩形領域に嵌合され、位置固定されることになる。この例では、第２ＰＯＰケース１Ｂを商品棚等への取り付けることを想定しているので、商品棚等への装着状態においては、第１接続部材１０Ａ、第１ＰＯＰケース１Ａに下方に重力が加わるので、突出部１０ｂ乃至１０ｅと、開口部５ｇ，５ｈ，５ｃ，５ｄとの嵌合状態、つまり装着状態は位置される。
【００３７】
第２ＰＯＰケース１Ｂの上方の開口部５ａ，５ｂには、メッセージ提示部材１３の突出部１３ｃ，１３ｄが挿入され、該部材１３を右方向に移動させることで、突出部１３ｃ，１３ｄが開口部５ａ，５ｂに嵌合され、位置固定される。尚、このメッセージ提示部材１３の文字部１３ｂには予め対象商品等に好適なメッセージが形成されている。
【００３８】
このように、複数部材を組み合わせるだけで、対象商品又はサービスの種別、広告の目的、店舗スペースの広狭、展示又は陳列スペースの広狭等に応じて、オリジナルのＰＯＰディスプレイを作り上げることが可能となる。
【００３９】
図６は本考案の一実施形態に係るＰＯＰシステムの使用例を示す図である。
【００４０】
同図からも明らかなように、この例では、１つのＰＯＰケースの左右上下に接続部材を装着し、該接続部材にイラストや写真等の各種印刷物を貼り付けて構成しているが、ユーザの広告目的に応じて各種部材を選択的に利用しながら最適なＰＯＰディスプレイを行うことが可能となる。
【００４１】
以上説明したように、本考案によれば、第１部材６と、第１部材６の上に積層され固着されるもので左右上下の各端の少なくともいずれかから他の部材を挿入可能な開口部５ａ乃至５ｈを備えた第２部材５と、第２部材５の上に積層され固着される第３部材４と、第３部材４の上に積層され固着されるものでカードを挿入可能な開口部３ａを備えた第４部材３と、第４部材３の上に積層され固着されるものでカードを外部から目視可能とする開口部２ａと該カードを支持する支持部２ｂ，２ｃとを備えた第５部材２とからなるＰＯＰケース１が提供される。
【００４２】
さらに、このようなＰＯＰケース１と、ＰＯＰケース１の嵌合部（開口部５ａ乃至５ｈに相当）に嵌合させる第１突出部（１０ａ乃至１０ｅ、１１ａ乃至１１ｅ等）を有する接続部材１０，１１と、文字が表記された文字表記部材１２ｂが挿入可能でＰＯＰケース１の嵌合部（開口部５ａ乃至５ｈに相当）に嵌合させる第２突出部（１２ｃ、１２ｄ）を有する価格表示部材１２と、所定のメッセージが形成された文字部１３ｄとＰＯＰケース１の前記嵌合部（開口部５ａ乃至５ｈに相当）に嵌合させる第３突出部（１３ｂ,１３ｃ）を有するメッセージ提示部材１３を備え、第１乃至第３突出部をＰＯＰケース１の嵌合部に嵌合させることで、各部材の任意の組み合わせにより、それぞれの部材をＰＯＰケース１に装着可能としたことを特徴とするＰＯＰシステムが提供される。
【００４３】
以上、本考案の一実施形態について説明したが、本考案はこれに限定されることなくその趣旨を逸脱しない範囲で種々の改良・変更が可能であることは勿論である。
【００４４】
例えば、接続部材の構成は前述したものに限定されず、左右一方、又は上下一方にのみ係合部を備えた構成とし、他方は紙媒体等のＰＯＰが貼り付け可能な領域としてもよいことは勿論である。
【符号の説明】
【００４５】
１…ＰＯＰケース、２…第５部材、３…第４部材、４…第３部材、５…第２部材、５ａ乃至５ｈ…開口部、６…第１部材、１０…接続部材、１０ａ…本体、１０ｂ乃至１０ｅ…突出部、１１…接続部材、１１ａ…本体、１１ｂ乃至１１ｅ…突出部、１２…価格表示部材、１２ａ…本体、１２ｂ…文字部、１２ｃ，１２ｄ…突出部、１３…メッセージ提示部材、１３ａ…本体、１３ｂ，１３ｃ…突出部、１３ｄ…文字部、１４…ＰＯＰカード。
【図１】
0003206372.tif 000003
【図２】
0003206372.tif 000004
【図３】
0003206372.tif 000005
【図４】
0003206372.tif 000006
【図５】
0003206372.tif 000007
【図６】
0003206372.tif 000008
【手続補正書】
【提出日】平成28年7月13日(2016.7.13)
【手続補正１】
【補正対象書類名】実用新案登録請求の範囲
【補正対象項目名】全文
【補正方法】変更
【補正の内容】
【実用新案登録請求の範囲】
【請求項１】
第１部材と、
前記第１部材の上に積層され固着されるもので、左右上下の各端の少なくともいずれかから他の部材を挿入可能な開口部を備えた第２部材と、
前記第２部材の上に積層され固着される第３部材と、
前記第３部材の上に積層され固着されるもので、カードを挿入可能な開口部を備えた第４部材と、
前記第４部材の上に積層され固着されるもので、前記カードを外部から目視可能とする開口部と該カードを支持する支持部とを備えた第５部材と、を備え、
前記第１乃至第３部材の積層関係により前記他の部材を挿入し嵌合可能とする嵌合部を形成し、前記第３乃至第５部材の積層関係により前記カードを挿入し目視可能に支持する挿入支持部を形成することを特徴とする
ＰＯＰケース。
【請求項２】
請求項１のＰＯＰケースと、
前記ＰＯＰケースの前記嵌合部に嵌合させる突出部を備えた接続部材と、を備え、
前記ＰＯＰケースの前記嵌合部に前記接続部材の前記突出部を嵌合させることで、前記接続部材を前記ＰＯＰケースに装着し、更に前記接続部材に広告媒体を装着可能としたことを特徴とする
ＰＯＰシステム。
【請求項３】
請求項１のＰＯＰケースを複数備え、更に前記ＰＯＰケースの前記嵌合部に嵌合させる複数の突出部を備えた接続部材を備え、
前記接続部材の前記複数の中の一の突出部を前記複数の中の一のＰＯＰケースの前記嵌合部に嵌合させ、前記接続部材の前記複数の中の他の突出部を前記複数の中の他のＰＯＰケースの前記嵌合部に嵌合させることで、複数のＰＯＰケースを、前記接続部材を介して接続することを特徴とする
ＰＯＰシステム。
【請求項４】
請求項１のＰＯＰケースと、
文字が表記された文字表記部材が挿入可能な本体と前記本体に設けられた突出部とで構成された価格表示部材と、を備え、
前記突出部を前記ＰＯＰケースの前記嵌合部に嵌合させることで、前記価格表示部材を前記ＰＯＰケースに装着することを特徴とする
ＰＯＰシステム。
【請求項５】
請求項１のＰＯＰケースと、
本体と前記本体と一体であり所定のメッセージが形成された文字部と前記本体と一体の突出部とで構成されたメッセージ提示部材と、を備え、
前記突出部を前記ＰＯＰケースの前記嵌合部に嵌合させることで、前記メッセージ提示部材を前記ＰＯＰケースに装着することを特徴とする
ＰＯＰシステム。
【請求項６】
第１部材と、前記第１部材の上に積層され固着されるもので左右上下の各端の少なくともいずれかから他の部材を挿入可能な開口部を備えた第２部材と、前記第２部材の上に積層され固着される第３部材と、前記第３部材の上に積層され固着されるものでカードを挿入可能な開口部を備えた第４部材と、前記第４部材の上に積層され固着されるもので前記カードを外部から目視可能とする開口部と該カードを支持する支持部とを備えた第５部材とからなり、前記第１乃至第３部材の積層関係により前記他の部材を挿入し嵌合可能とする嵌合部を形成し、前記第３乃至第５部材の積層関係により前記カードを挿入し目視可能に支持する挿入支持部を形成したＰＯＰケースと、
前記ＰＯＰケースの前記嵌合部に嵌合させる第１突出部を有する接続部材と、
文字が表記された文字表記部材が挿入可能で前記ＰＯＰケースの前記嵌合部に嵌合させる第２突出部を有する価格表示部材と、
所定のメッセージが形成された文字部と前記ＰＯＰケースの前記嵌合部に嵌合させる第３突出部とを有するメッセージ提示部材と、を備え、
前記第１乃至第３突出部を前記ＰＯＰケースの前記嵌合部に嵌合させることで、それぞれの部材を前記ＰＯＰケースに装着可能としたことを特徴とする
ＰＯＰシステム。